(57)【特許請求の範囲】
【請求項１】
縦フレームと連結具とを介して２枚の間仕切りパネルを直線状に接合してなり、前記縦フレームは、支持辺の両端の平板状の各側辺の中間部にそれぞれ外フランジを有する対称断面に形成し、前記連結具は、一方の前記間仕切りパネルの側端面の凹溝内に立設する係合用のねじと、前記支持辺上にセットして前記縦フレームとともに他方の前記間仕切りパネルの側端面に固定するクリップとを組み合わせ、前記縦フレームは、前記ねじと前記クリップとを互いに係合させて前記間仕切りパネルを連結することにより前記外フランジの厚さ相当の見付を形成する一方、前記見付は、前記間仕切りパネルの両面において前記各間仕切りパネルの表面に連続する平面に形成することを特徴とする間仕切り装置におけるパネルの接合構造。
【請求項２】
左右に直線状に配置する複数の間仕切りパネルを備えてなり、互いに隣接する前記各間仕切りパネルは、請求項１記載の間仕切り装置におけるパネルの接合構造を介して接合し、前記各間仕切りパネルの下部には、高さ調節用のアジャストボルトと直立固定用のクランプ部材とを配設し、前記各間仕切りパネルの上部は、天フレームを介して連結することを特徴とする間仕切り装置。
【請求項３】
前記天フレームは、一対の下向きの起立辺を有し、該起立辺を前記各間仕切りパネルの上端面の凹溝に収納して固定することを特徴とする請求項２記載の間仕切り装置。
【請求項４】
前記天フレームは、前記縦フレームの前記外フランジが形成すると同等の見付を形成することを特徴とする請求項２または請求項３記載の間仕切り装置。
【請求項５】
前記クランプ部材は、前記間仕切りパネルを床面に連結するＬ字状の金具と、該金具用の着脱自在のカバーとを備えることを特徴とする請求項２ないし請求項４のいずれか記載の間仕切り装置。
【発明の詳細な説明】
【技術分野】
【０００１】
この発明は、複数の間仕切りパネルを組み合わせ、近代的でシャープな外観を容易に実現することができる間仕切り装置におけるパネルの接合構造と、それを使用する間仕切り装置に関する。
【背景技術】
【０００２】
複数の間仕切りパネルを左右に連結して構成する間仕切り装置が知られている（たとえば特許文献１）。
【０００３】
この種の従来の間仕切り装置は、たとえばペーパハニカムの芯材の両面に表面材を貼着するとともに芯材の四周に補強材を枠状に配設して間仕切りパネルを形成し、隣接する各間仕切りパネルの側端面の凹溝内に角パイプ状の共通の支柱を収納し、各間仕切りパネルの上下両端部に設ける各引掛部材の左右一対のフックを支柱の表面の２列のスリットに挿入して係止することにより、支柱を介して各間仕切りパネルを直線状に連結することができる。なお、間仕切りパネルの連結部分には、支柱の表面にまで達する目地が形成されている。
【先行技術文献】
【特許文献】
【０００４】
【特許文献１】特開平１１−２８０１８１号公報
【発明の概要】
【発明が解決しようとする課題】
【０００５】
かかる従来技術によるときは、各間仕切りパネルの連結部分には、支柱の表面に達する目地が形成されるが、このような目地は、格別なデザイン上のアクセントを提供することができず、希薄な印象の陳腐なデザインしか実現することができないという問題があった。また、各間仕切りパネルは、上下両端部の引掛部材の左右一対のフックを支柱の２列のスリットに係止させて連結するため、支柱のサイズを小さくしたり、間仕切りパネルの厚さを薄くしたりすることが難しく、この点でもデザイン上の制約があるという問題があった。
【０００６】
そこで、この発明の目的は、かかる従来技術の問題に鑑み、外フランジ付きの縦フレームと、係合用のねじとクリップとによる連結具とを介して間仕切りパネルを接合することによって、外フランジの厚さ相当の見付を接合部分に視認させ、近代的でシャープなデザインの外観を容易に実現するとともに、間仕切りパネルの薄形化を図ることができる間仕切り装置におけるパネルの接合構造と、それを使用する間仕切り装置を提供することにある。
【課題を解決するための手段】
【０００７】
かかる目的を達成するためのこの出願に係る第１発明（請求項１に係る発明をいう、以下同じ）の構成は、縦フレームと連結具とを介して２枚の間仕切りパネルを直線状に接合してなり、縦フレームは、支持辺の両端の平板状の各側辺の中間部にそれぞれ外フランジを有する対称断面に形成し、連結具は、一方の間仕切りパネルの側端面の凹溝内に立設する係合用のねじと、支持辺上にセットして縦フレームとともに他方の間仕切りパネルの側端面に固定するクリップとを組み合わせ、縦フレームは、ねじとクリップとを互いに係合させて間仕切りパネルを連結することにより外フランジの厚さ相当の見付を形成する一方、見付は、間仕切りパネルの両面において各間仕切りパネルの表面に連続する平面に形成することをその要旨とする。
【０００８】
第２発明（請求項２に係る発明をいう、以下同じ）の構成は、左右に直線状に配置する複数の間仕切りパネルを備えてなり、互いに隣接する各間仕切りパネルは、第１発明に係る間仕切り装置におけるパネルの接合構造を介して接合し、各間仕切りパネルの下部には、高さ調節用のアジャストボルトと直立固定用のクランプ部材とを配設し、各間仕切りパネルの上部は、天フレームを介して連結することをその要旨とする。
【０００９】
なお、天フレームは、一対の下向きの起立辺を有し、起立辺を各間仕切りパネルの上端面の凹溝に収納して固定することができ、縦フレームの外フランジが形成すると同等の見付を形成することができる。
【００１０】
また、クランプ部材は、間仕切りパネルを床面に連結するＬ字状の金具と、金具用の着脱自在のカバーとを備えてもよい。
【発明の効果】
【００１１】
かかる第１発明の構成によるときは、縦フレームは、外フランジを除く各側辺が隣接する各間仕切りパネルの側端面の凹溝に収納され、外フランジの両面が各間仕切りパネルの側端面に密着するようにして固定されている。そこで、縦フレームは、間仕切りパネルの接合部分において、外フランジの厚さ相当の細幅の見付を形成して外部に視認させることができ、近代的でシャープなデザインを実現することができる。また、係合用のねじとクリップとを組み合わせる連結具は、支柱のような格別な部材を必要とせず、水平方向に最大１０数mmの小さい幅寸法で済むため、間仕切りパネルを必要最少限に薄く仕上げることができる。
【００１２】
なお、両側辺の中間部の外フランジを含む縦フレームの全幅は、間仕切りパネルの厚さに一致させることが好ましい。また、縦フレームは、間仕切りパネルの全高に亘って連続させるものとし、連結具は、間仕切りパネルの高さ方向に２組以上の任意の組数を使用してよいものとする。間仕切りパネルは、たとえば木質ファイバボードの中質繊維板（ＭＤＦ）の芯材の両面にメラミン樹脂化粧板などの表面板を貼着する木質パネルの他、ペーパハニカムの芯材の両面に金属製、樹脂製、木製、布製などの表面板を貼着する一般的なパネル板などであってもよく、ペーパハニカムの四周には、木質または金属質の枠材を配置してもよい。
【００１３】
第２発明の構成によるときは、第１発明に係るパネルの接合構造を介して複数の間仕切りパネルを接合するから、第１発明と同様の効果を実現することができる。なお、各間仕切りパネルは、互いに独立にそれぞれたとえば幅３００〜１２００mmに設定することができる。また、各間仕切りパネルは、アジャストボルトとクランプ部材とを介して下部が固定され、天フレームを介して上部が連結されているため、全体として床面上に安定に設置することができる。ただし、アジャストボルトは、各間仕切りパネルの左右両端部に配設するものとし、クランプ部材は、必要に応じて、各間仕切りパネルの中央部の１箇所または左右両端部の２箇所に配設するものとする。
【００１４】
天フレームは、一対の下向きの起立辺を各間仕切りパネルの上端面の凹溝に収納することにより、必要最少限の見付だけを外部から視認させることができ、全体の外観を向上させることができる。また、天フレームは、縦フレームと同等の見付を形成することにより、一層良好な外観を実現することができる。
【００１５】
クランプ部材は、Ｌ字状の金具にカバーを掛けることにより、金具を固定するための床面側のアンカボルトや、間仕切りパネル側のねじの頭部などを体裁よく隠蔽するとともに、歩行者がつまずいたりするおそれを最少にすることができる。
【図面の簡単な説明】
【００１６】
【図１】全体分解斜視図
【図２】間仕切りパネルの構成説明図
【図３】図１の要部拡大説明図
【図４】要部拡大横断面図
【図５】図１の要部拡大図
【図６】連結具の構成説明図
【発明を実施するための形態】
【００１７】
以下、図面を以って発明の実施の形態を説明する。
【００１８】
間仕切り装置は、左右に直線状に配置する複数の間仕切りパネル１０、１０…を備えてなる（図１）。なお、各間仕切りパネル１０の下部には、クランプ部材３０が配設され、間仕切りパネル１０、１０…の上部には、共通の天フレーム４１が配設されている。
【００１９】
間仕切りパネル１０は、芯材１１の両面に表面板１２、１２を貼着して構成されている（図１、図２）。ただし、図２（Ａ）、（Ｂ）は、それぞれ図１の間仕切りパネル１０の縦断面図、横断面図である。
【００２０】
間仕切りパネル１０の左右の側端面には、それぞれ凹溝１３が形成されている。また、間仕切りパネル１０の上端面には、凹溝１４が形成されている。凹溝１３、１４は、それぞれ間仕切りパネル１０の全高、全幅に亘って形成されている。間仕切りパネル１０は、床面Ｆ上のアジャストボルト１５、１５を介して高さ調節可能に支持されており、間仕切りパネル１０の下端面には、各アジャストボルト１５に対応する埋込ナット１５ａ、１５ａが埋設されている。ただし、図２（Ａ）には、アジャストボルト１５、１５、埋込ナット１５ａ、１５ａの各１個のみが下穴１５ｂとともに図示されている。
【００２１】
クランプ部材３０は、Ｌ字状の金具３１とカバー３２とを備えて構成されている（図２、図３）。ただし、図３（Ａ）、（Ｂ）は、それぞれ図１の要部拡大図、カバー３２の内面側から見た斜視図である。
【００２２】
金具３１の垂直辺側は、上端部の止めねじ３３、３３を介して間仕切りパネル１０の中間部下端にねじ止めされている。また、金具３１の水平辺側は、アンカボルト３４を介して床面Ｆに固定されている。そこで、間仕切りパネル１０は、金具３１を介して、床面Ｆ上に直立させて固定することができる。ただし、金具３１の水平辺側は、床面Ｆの材質により、アンカボルト３４に代えて、止めねじ３５、３５を介して床面Ｆに固定してもよい。なお、金具３１は、垂直辺の上端に上向きの係合フック３１ａを有し、垂直辺の下部の左右両端には、背面側に突出する一対の横長の係合部３１ｂ、３１ｂが形成されている。
【００２３】
カバー３２は、金具３１を被うようにして、金具３１に対して着脱することができる。すなわち、カバー３２の上端内面側には、金具３１の上端の係合フック３１ａに適合する下向きの係合片３２ａが形成され、カバー３２の左右の側辺の下端部には、金具３１の係合部３１ｂ、３１ｂに対応する内向きの係合部３２ｂ、３２ｂが形成されている。そこで、カバー３２は、係合片３２ａを係合フック３１ａに上から係合させるとともに、係合部３２ｂ、３２ｂを金具３１の係合部３１ｂ、３１ｂの下側に弾発的に係合させて外れ止めし、一挙動により金具３１に装着することができる。ただし、カバー３２は、適切な弾性の硬質樹脂材料により一体成形されている。また、カバー３２は、必要に応じ、金具３１から簡単に取り外すことができる。
【００２４】
隣接する２枚の間仕切りパネル１０、１０は、縦フレーム２１と、複数組の連結具５０、５０…とを介して直線状に接合されている（図１、図４）。
【００２５】
縦フレーム２１は、支持辺２１ａと、支持辺２１ａの両端の側辺２１ｂ、２１ｂと、各側辺２１ｂの中間部の外フランジ２１ｃ、２１ｃとを有し、全体として前後左右の対称断面に形成されている（図４、図５）。側辺２１ｂ、２１ｂは、間仕切りパネル１０、１０の相対向する側端面の凹溝１３、１３に過大な隙間を生じることなく嵌め込み可能に形成され、凹溝１３、１３に収納可能に形成されている。一方、外フランジ２１ｃ、２１ｃを含む縦フレーム２１の全幅は、間仕切りパネル１０の厚さに一致している。各外フランジ２１ｃの両面基部側には、それぞれ浅溝２１ｄが形成されており、各外フランジ２１ｃは、外部に露出する先端部分のみが間仕切りパネル１０、１０の側端面に密着して厚さ相当の見付ａを形成する。縦フレーム２１は、支持辺２１ａを貫通する止めねじ２２、２２を介し、連結具５０を形成するクリップ５２とともに、一方の間仕切りパネル１０の側端面に固定されている。
【００２６】
各連結具５０は、係合用のねじ（ショルダースクリュー）５１と、専用のクリップ５２とを組み合わせて構成されている。
【００２７】
係合用のねじ５１は、縦長の補強板５３を介し、クリップ５２、縦フレーム２１に対向する側の間仕切りパネル１０の側端面の凹溝１３内に立設されている。なお、補強板５３は、凹溝１３とほぼ同一幅に形成されており、両端の止めねじ５３ａ、５３ａを介して凹溝１３の底部に固定されている。また、ねじ５１は、補強板５３を貫通して間仕切りパネル１０の芯材１１にねじ込まれている。ただし、ねじ５１は、短い円柱状の係合部５１ｂを介して頭部５１ａの下部に大径のフランジ５１ｃを有するタッピングねじに形成されている（図５、図６（Ａ））。
【００２８】
クリップ５２は、縦長の板材を断面ハット状に折り曲げるとともに、一方の折曲部から他方の折曲部に向けて、ねじ５１の頭部５１ａ、係合部５１ｂに適合する係合孔５２ａを形成し、双方の脚片にそれぞれ止めねじ２２用の取付孔５２ｂを形成して構成されている（図５、図６（Ｂ）、（Ｃ））。なお、係合孔５２ａは、一方の折曲部において、ねじ５１の頭部５１ａを他方の折曲部に向けて挿入し得るように幅広に開口されており、他方の折曲部に近い終端部に向けて、両側縁の厚みが斜めに滑らかに増加するようにエンボス加工されている。ただし、図６（Ｂ）、（Ｃ）は、それぞれクリップ５２の斜視図、縦断面図である。
【００２９】
そこで、連結具５０は、ねじ５１の頭部５１ａをクリップ５２の係合孔５２ａの一端から挿入してねじ５１を係合孔５２ａの他端側に向けて相対移動させると（図６（Ｂ）、（Ｃ）の各矢印Ｋ1 方向）、頭部５１ａが係合孔５２ａの斜めの両端縁に沿ってクリップ５２の内側に引き込まれ、ねじ５１側、クリップ５２側の間仕切りパネル１０、１０を互いに密着させるようにして接合することができる（図４）。ただし、連結具５０は、間仕切りパネル１０、１０の高さ方向に複数組を設けるから（図１、図５）、各連結具５０は、たとえば図１において、隣接する２枚の間仕切りパネル１０、１０のうち、左側のもののねじ５１、５１…に対して右側のもののクリップ５２、５２…を係合させるようにして順に接合して行けばよい。
【００３０】
天フレーム４１の全長は、間仕切りパネル１０、１０…の合計幅相当に設定されている（図１）。すなわち、天フレーム４１は、間仕切りパネル１０、１０…に共通であり、各間仕切りパネル１０の上部に対し、それぞれ止めねじ４２、４２を介し、間仕切りパネル１０の上端面の凹溝１４内に収納して固定されている（図１、図２（Ａ））。なお、天フレーム４１は、全長に亘り、一対の下向きの起立辺４１ａ、４１ａを有し、間仕切りパネル１０の厚さと同一の全幅に形成され、見付ｂを形成することができる。
【００３１】
以上の説明において、縦フレーム２１、天フレーム４１は、それぞれアルミニウムの押出形材により形成されている。また、縦フレーム２１の外フランジ２１ｃの厚さ相当の見付ａは、天フレーム４１の見付ｂとともに、約３mm程度に統一することが好ましい。ただし、このときの間仕切りパネル１０は、厚さ約４０mmとする。
【産業上の利用可能性】
【００３２】
この発明は、オフィスなどの共有スペースの他、空港・駅・マンション・ホテルなどの諸施設のホールやエントランス、店舗、介護・福祉施設、病院などのあらゆる近代的な建築物に設置する間仕切り装置用として、広く好適に適用することができる。
【符号の説明】
【００３３】
ａ、ｂ…見付
Ｆ…床面
１０…間仕切りパネル
１３、１４…凹溝
１５…アジャストボルト
２１…縦フレーム
２１ａ…支持辺
２１ｂ…側辺
２１ｃ…外フランジ
３０…クランプ部材
３１…金具
３２…カバー
４１…天フレーム
４１ａ…起立辺
５０…連結具
５１…ねじ
５２…クリップ
特許出願人      小松ウオール工業株式会社
【図１】
0006542521.tif 000002
【図２】
0006542521.tif 000003
【図３】
0006542521.tif 000004
【図４】
0006542521.tif 000005
【図５】
0006542521.tif 000006
【図６】
0006542521.tif 000007